(57)【特許請求の範囲】
【請求項１】
並設された複数の管部材を対向配置することによって構成され、かつ、当該管部材中に高温あるいは低温の流体を流通させることによって前記管部材が熱放射する熱放射パネルと、
この熱放射パネルの下端部に設けられて当該熱放射パネルをほぼ鉛直に支持する支持体と、
前記管部材に接続されて、当該管部材中に前記流体を供給するための供給口および前記管部材中を流れた流体を排出するための排出口と、
前記支持体に取り付けられて、当該支持体を床面で移動可能とする移動部材とを備えており、
前記支持体は、箱状の本体部とこの本体部の内部に設けられた支持部とを備え、
前記本体部の上端開口部には、下方に向かうほど内側に傾斜する側壁を有し、下端開口の大きさ、形状が、本体部の上端開口の大きさ、形状と一致している矩形枠状の枠体が設けられており、
前記熱放射パネルの複数の管部材は、前記支持部に下端部が支持されるとともに、上端部には上部ヘッダが設けられ、この上部ヘッダは対向配置された管部材の上端部側面間に設けられ対向配置された管部材に連通されていることを特徴とする移動型冷暖房装置。
【請求項２】
請求項１に記載の移動型冷暖房装置において、
前記供給口および前記排出口が近接した状態で前記支持体に設けられていることを特徴とする移動型冷暖房装置。
【請求項３】
請求項１または２に記載の移動型冷暖房装置において、
前記支持体の下面に凹所が設けられ、この凹所に前記管部材の表面に結露した水を貯留する貯留箱が設けられていることを特徴とする移動型冷暖房装置。
【請求項４】
請求項１〜３のいずれか一項に記載の移動型冷暖房装置において、
前記熱放射パネルは、それぞれ複数の前記管部材が並設されてなる第１管部材群および第２管部材群を有し、これら第１管部材群と第２管部材とは対向して配置され、
前記流体が前記第１管部材群の管部材中を流れたうえで、前記第２管部材群の管部材中を流れることを特徴とする移動型冷暖房装置。
【発明の詳細な説明】
【技術分野】
【０００１】
本発明は、移動型冷暖房装置に関する。
【背景技術】
【０００２】
熱放射パネルを利用した冷暖房システムの一例として特許文献１に記載のものが知られている。
この冷暖房システムは、多数の管部材を備えて構成された冷暖房パネル（熱放射パネル）と、この冷暖房パネルの内部に高温あるいは低温の流体を流通させる流体供給装置とを備えたものである。
そして、冷暖房パネルは、例えばリビングルームと階段スペースとを仕切る位置や、トイレ室と洗面スペースとを仕切る位置に設けたり、冷暖房パネルの幅方向一端側をリビングルームの壁面に回動可能な状態で取り付け、リビングルームと食堂とを仕切る位置と、リビングルームの壁面側との間を回動可能となるようにして設けている。
このような冷暖房システムでは、夏場には、流体供給装置から冷暖房パネルに冷水を流通させることによって、当該冷暖房パネルが放射冷房パネルとして機能し、冬場には、流体供給装置から冷暖房パネルに温水を流通させることによって、当該冷暖房パネルが放射暖房パネルとして機能するようになっている。
【先行技術文献】
【特許文献】
【０００３】
【特許文献１】特開２００８−１２１９０７号公報
【発明の概要】
【発明が解決しようとする課題】
【０００４】
ところで、前記熱放射パネルは、例えばリビングルームと階段スペースとを仕切る位置や、トイレ室と洗面スペースとを仕切る位置に設けたり、冷暖房パネルの幅方向一端側をリビングルームの壁面に回動可能な状態で取り付け、リビングルームと食堂とを仕切る位置と、リビングルームの壁面側との間を回動可能となるようにして設けているので、ほぼ固定的な使用となり、空間全体を冷暖房するのに適している。
一方、空間全体を冷暖房しなくても、人が作業等をしている場所を局所的に人とともに暖めたり、冷やしたりすることで十分な場合があるが、前記冷暖房パネルではそのような局所的な冷暖房を行うのには不向きである。
また、小型の石油ストーブやガスストーブ等による暖房の場合、放熱温度が高いため、人がその近くで作業するのには不向きであるし、冷房を行うことはできない。近年、移動型の冷房パネルが開発されているが、これも冷房だけであり、暖房を行うことはできない。
【０００５】
本発明は上記事情に鑑みてなされたもので、所望の箇所を集中的かつ快適に冷暖房できる移動型冷暖房装置を提供することを課題としている。
【課題を解決するための手段】
【０００６】
上記課題を解決するために、請求項１に記載の発明は、例えば図１および図２に示すように、並設された複数の管部材１０を対向配置することによって構成され、かつ、当該管部材１０中に高温あるいは低温の流体を流通させることによって前記管部材１０が熱放射する熱放射パネル２と、
この熱放射パネル２の下端部に設けられて当該熱放射パネル２をほぼ鉛直に支持する支持体３と、
前記管部材１０に接続されて、当該管部材１０中に前記流体を供給するための供給口４および前記管部材１０中を流れた流体を排出するための排出口５と、
前記支持体３に取り付けられて、当該支持体３を床面で移動可能とする移動部材７とを備えており、
前記支持体３は、箱状の本体部１５とこの本体部１５の内部に設けられた支持部１６とを備え、
前記本体部１５の上端開口部には、下方に向かうほど内側に傾斜する側壁を有し、下端開口の大きさ、形状が、本体部１５の上端開口の大きさ、形状と一致している矩形枠状の枠体１５ａが設けられており、
前記熱放射パネル２の複数の管部材１０は、前記支持部１６に下端部が支持されるとともに、上端部には上部ヘッダ１３が設けられ、この上部ヘッダ１３は対向配置された管部材１０，１０の上端部側面間に設けられ対向配置された管部材１０，１０に連通されていることを特徴とする。
【０００７】
請求項１に記載の発明によれば、複数の管部材１０を並設することによって構成された熱放射パネル２が支持体３によってほぼ鉛直に支持されており、この支持体３に移動部材７が取り付けられているので、移動部材７によって支持体３を所望の箇所まで容易に移動させることができ、移動先において前記供給口４および排出口５に、高温あるいは低温の流体を供給する供給管と排出する排出管とをそれぞれ接続することによって、熱放射パネル２の管部材１０中に高温あるいは低温の流体を連続的に流通させて熱放射させることができるので、所望の箇所を集中的かつ快適に冷暖房できる。
また、枠体１５ａにより、管部材１０の表面に結露して、当該管部材１０の表面を下方に流れ落ちる結露水を外側に落下させることなく、本体部１５の内部に導くようにすることができる。
【０００８】
請求項２に記載の発明は、請求項１に記載の移動型冷暖房装置において、
前記供給口４および前記排出口５が近接した状態で前記支持体３に設けられていることを特徴とする。
【０００９】
請求項２に記載の発明によれば、供給口４および排出口５が近接した状態で支持体３に設けられているので、高温あるいは低温の流体を供給する供給管と排出する排出管をまとめて供給口４と排出口５に容易に接続できる。
【００１０】
請求項３に記載の発明は、請求項１または２に記載の移動型冷暖房装置において、
前記支持体３の下面に凹所２５が設けられ、この凹所２５に前記管部材１０の表面に結露した水を貯留する貯留箱２６が設けられていることを特徴とする。
【００１１】
請求項３に記載の発明によれば、貯留箱２６に管部材１０の表面に結露した水を貯留できるので、当該結露水が床等に流出するのを防止できる。
【００１２】
請求項４に記載の発明は、例えば図３および図４に示すように、請求項１〜３のいずれか一項に記載の移動型冷暖房装置において、
前記熱放射パネル２は、それぞれ複数の前記管部材１０が並設されてなる第１管部材群３２および第２管部材群３３を有し、これら第１管部材群３２と第２管部材群３３とは対向して配置され、
前記流体が前記第１管部材群３２の管部材中を流れたうえで、前記第２管部材群３３の管部材中を流れることを特徴とする。
【００１３】
請求項４に記載の発明によれば、高温あるいは低温の流体が第１管部材群３２の管部材１０中を流れたうえで、第２管部材群３３の管部材１０中を流れるので、第２管部材群３３より、第１管部材群３２の方が高温あるいは低温の熱を放射する。したがって、第１管部材群３２の方を所望の箇所に向けることによって、当該箇所を効果的に暖房または冷房できる。また、第２管部材群３３の方は壁に向けることができる。
【発明の効果】
【００１４】
本発明によれば、支持体に移動部材が取り付けられているので、移動部材によって支持体を所望の箇所まで容易に移動させることができ、移動先において供給口および排出口に、高温あるいは低温の流体を供給する供給管と排出する排出管とをそれぞれ接続することによって、熱放射パネルの管部材中に高温あるいは低温の流体を連続的に流通させて熱放射させることができるので、所望の箇所を集中的かつ快適に冷暖房できる。
また、枠体により、管部材の表面に結露して、当該管部材の表面を下方に流れ落ちる結露水を外側に落下させることなく、本体部の内部に導くようにすることができる。
【図面の簡単な説明】
【００１５】
【図１】本発明に係る移動型冷暖房装置の一例を示すもので、その斜視図である。
【図２】同、（ａ）は正断面図、（ｂ）は側断面図である。
【図３】本発明に係る移動型冷暖房装置の他の例を示すもので、その斜視図である。
【図４】同、（ａ）は正断面図、（ｂ）は側断面図である。
【発明を実施するための形態】
【００１６】
以下、図面を参照して本発明に係る移動型冷暖房装置の実施の形態について説明する。
（第１の実施の形態）
図１および図２は、本発明に係る移動型冷暖房装置の第１の実施の形態を示すもので、図１はその斜視図、図２は移動型冷暖房装置の下部の断面図である。
図１に示すように、移動型冷暖房装置１は、高さが約１３００ｍｍ、幅が約７００ｍｍ、厚さが約１２０ｍｍ程度の大きさものであり、熱放射パネル２と、支持体３と、供給口４および排出口５を備えたコンセント部６と、移動部材７とを備えている。
【００１７】
熱放射パネル２は、並設された複数の管部材１０を備え、かつ、当該管部材１０中に高温あるいは低温の流体を流通させることによって熱放射して、暖房および冷房するものである。
管部材１０は例えばアルミニウムなどの熱伝導性材料にて押出し成形によって形成されており、軸直交方向における断面形状が長方形状とされている。また、管部材１０は四角筒状に形成されており、その上下端面は閉塞されている。管部材１０は図１において前面側に例えば１８本をほぼ鉛直に向け、かつ、左右にほぼ一定間隔で一列に前側に並設することによって管部材群１１を構成し、この管部材群１１と対向して後側に例えば１８本をほぼ鉛直に向け、かつ、左右にほぼ一定間隔で一列に後側に並設することによって管部材群１２を構成している。
【００１８】
管部材群１１，１２の上端部間には、上部ヘッダ１３がほぼ水平に設けられ、前後方向に対向する管部材１０，１０の上部側面に固定されている。上部ヘッダ１３は管部材群１１，１２をそれぞれ構成する管部材１０の並設方向に長尺なもので、四角筒状に形成されている。上部ヘッダ１３の左右両端面は閉塞され、当該上部ヘッダ１３の左右側面にそれぞれ管部材群１１を構成する管部材１０の側面と、管部材群１２を構成する管部材１０の側面とが当接されている。管部材１０と上部ヘッダ１３の当接面において、管部材１０の内部と上部ヘッダ１３の内部とが連通している。例えば、前記当接面にそれぞれ貫通孔を形成し、この貫通孔を合致させるとともに、貫通孔の周囲をシールすることによって管部材１０の内部と上部ヘッダ１３の内部とが連通している。
【００１９】
前記支持体３は、図１および図２に示すように、正面視下向きコ字形の箱状の本体部１５とこの本体部１５の内部に設けられた支持部１６とを備えている。
支持部１６は、本体部１５の内部の底面に立設された２本の支持柱１６ａ，１６ａと、この支持柱１６ａ，１６ａの上端部によって水平に支持された支持プレート１６ｂとから構成されている。
支持柱１６ａは四角筒または円筒状のものであり、その下端部にはフランジ部が設けられている。そして、このフランジ部を本体部１５の底面に固定することによって、支持柱１６ａがほぼ鉛直に立設されている。また、支持柱１６ａ，１６ａは本体部１５の内部の左右両端部に配置されている。
支持プレート１６ｂは長方形板状のものであり、その長辺を本体部１５の長手方向（図２（ａ）において左右方向）に向けて配置されている。支持プレート１６ｂの長辺に沿う両縁部にはそれぞれ立上り壁１６ｃが形成されている。そして、この支持プレート１６ｂは前記熱放射パネル２の直下に、支持柱１６ａ，１６ａによって支持されてほぼ水平に配置されている。また、支持プレート１６ｂの外周縁部と本体部１５の内周壁面との間には管部材１０の表面に結露して当該管部材１０の表面を下方に流れ落ちた結露水を下方に落下させるための隙間が設けられている。
【００２０】
前記本体部１５の上端開口部には、矩形枠状の枠体１５ａが設けられている。この枠体１５ａの側壁は下方に向かうほど内側に傾斜しており、枠体１５ａの下端開口の大きさ、形状が、本体部１５の上端開口の大きさ、形状と一致している。そして、この枠体１５ａは、管部材１０の表面に結露して、当該管部材１０の表面を下方に流れ落ちる結露水を外側に落下させることなく、本体部１５の内部に導くようになっている。なお、この枠体１５ａは本体部１５の上端開口部に当該本体１５と一体的に形成してもよい。
並設された複数（本実施の形態では１８本×２＝３６本）の管部材１０の下端部はそれぞれ前記枠体１５ａの内側を貫通して、本体部１５の上端部まで達しており、その下端面は前記支持プレート１６ｂに固定されている。また、管部材１０の外側を向く側面は、図２（ｂ）に示すように、支持プレート１６ｂに形成された立上り壁１６ｃに当接固定されている。
【００２１】
前記本体部１５内には、その上部に下部ヘッダ２０がほぼ水平に設けられている。下部ヘッダ２０は前記管部材１０の並設方向（図２（ａ）において左右方向）に長尺なもので、四角筒状に形成されている。また、下部ヘッダ２０の両端面は閉塞され、さらに当該両端面と本体部１５の長手方向において対向する内壁面との間には隙間が設けられている。
また、枠体１５ａの下端から下方に突出している管部材群１１，１２の下端部間に、下部ヘッダ２０が水平に配置されており、この下部ヘッダ２０は前記支持プレート１６ｂに設置されて支持されている。そして、熱放射パネル２の厚さ方向（図２（ｂ）において左右方向）に配置されている管部材１０，１０の対向する下端部側面が下部ヘッダ２０の側面に当接固定されている。
このように、管部材１０は下部ヘッダ２０と前記立上り壁１６ｃに挟まれてほぼ鉛直に支持されている。したがって、並設された複数の管部材１０を備えてなる熱放射パネル２は、支持プレート１６ｂと支持柱１６ａ，１６ａによって構成された支持部１６によってほぼ鉛直に支持されている。
また、管部材１０の下端部側面と下部ヘッダ２０の側面との当接面において、管部材１０の内部と下部ヘッダ２０の内部とが連通している。例えば、前記当接面にそれぞれ貫通孔を形成し、この貫通孔を合致させるとともに、貫通孔の周囲をシールすることによって管部材１０の内部と下部ヘッダ２０の内部とが連通している。
さらに、下部ヘッダ２０の長さ方向中央部には、隔壁２０ａが形成されており、この隔壁２０ａによって、下部ヘッダ２０はその内部が長さ方向において二分されることによって、左下部ヘッダ２０ｂと右下部ヘッダ２０ｃとによって構成されている。
【００２２】
また、本体部１５内には、前記下部ヘッダ２０の下側に、供給配管２１と排出配管２２とが上下に離間し、かつ、下部ヘッダ２０とほぼ平行に配置されている。
供給配管２１の先端部は、上方に曲げられて支持プレート１６ｂを貫通したうえで、左下部ヘッダ２０ｂの長さ方向中央部に、供給配管２１の内部と左下部ヘッダ２０ｂの内部とが連通するように接続されている。
供給配管２１の基端部は本体部１５の前面側の壁部に向けて曲げられており、当該壁部に達している。一方、本体部１５の前面には、図１および図２（ｂ）に示すように、供給口４および排出口５を備えたコンセント部６が設けられている。このコンセント部６では、供給口４および排出口５が上下に近接した状態で本体部１５の前面に取り付けられている。そして、供給配管２１の基端部は前記供給口４に接続されている。
また、排出配管２２の先端部は、上方に曲げられて支持プレート１６ｂを貫通したうえで、右下部ヘッダ２０ｃの長さ方向中央部に、排出配管２２の内部と右下部ヘッダ２０ｃの内部とが連通するように接続されている。
排出配管２２の基端部は本体部１５の前面側の壁部に向けて曲げられており、当該壁部に達している。そして、排出配管２２の基端部は前記排出口５に接続されている。
【００２３】
そして、上記のような構成の熱放射パネル２では、供給口４から高温あるいは低温の流体を供給すると、この流体が左下部ヘッダ２０ｂを流通して、左下部ヘッダ２０ｂに接続されている左半分（９本×２列）の管部材１０を下方から上方に流通したうえで、上部ヘッダ１３に流入する。上部ヘッダ１３に流入した流体は、この上部ヘッダ１３を右側に流通して、上部ヘッダ１３の右半分側に接続されている右半分（９本×２列）の管部材１０を上方から下方に流通したうえで、右下部ヘッダ２０ｃに流入し、この右下部ヘッダ２０ｃを排出口５に向けて流通し、この排出口５から排出されるようになっている。そして、流体が管部材１０を流通することによって、各管部材１０から熱放射され、これによって、熱放射パネル２が熱放射するようになっている。
なお、前記供給口４および排出口５とにはそれぞれ外部に設けられた流体供給装置からの供給管と排出管とが接続され、供給管から供給口に流体が供給され、排出口５から排出された流体は排出管を流通して前記流体供給装置に戻されるようになっている。
【００２４】
また、前記本体部１５の下面には、図１および図２に示すように、矩形状の凹所２５が形成され、この凹所２５の上面は開口している。この凹所２５には管部材１０の表面に結露した水を貯留する貯留箱２６が着脱可能に設けられている。貯留箱２６は上面が開口した箱状のものであり、その長手方向の両側の縁部には、フランジ部２６ａが形成されている。一方、本体部１５の前面には凹所２５の両側に溝２５ａが形成されている。
そして、貯留箱２６を本体部１５の前面側から凹所２５にフランジ部２６ａを溝２５ａに差し込んで押し込むことによって、当該貯留箱２６は凹所２５に奥側に向けてスライドしながら挿入されて嵌め込まれ、一方、貯留箱２６の前面に設けられた取手２６ｂを掴んで引き出すことによって、貯留箱２６は凹所２５から取り外せるようになっている。
【００２５】
また、本体部１５内には、図２に示すように、前記排出配管２２の下方でかつ貯留箱２６の上方にドレンパン２７が設けられている。ドレンパン２７は平面視の形状が本体部１５の平面視の形状とほぼ等しい長方形状となっており、当該ドレンパン２７の周縁部には立上壁２７ａが形成され、この立上壁２７ａが本体部１５の内壁面に固定されている。ドレンパン２７の上面中央部には水抜き孔２７ｂが形成されており、ドレンパン２７の上面には水抜き孔２７ｂ側に向けて若干の下り水勾配が付されている。したがって、管部材１０の表面に結露した結露水や供給配管２１および排出配管２２の表面に結露した結露水は、下方に落下してドレンパン２７で受け止められ、ドレンパン２７の水抜き孔２７ｂから下方に落下して、貯留箱２６に貯留するようになっている。なお、ドレンパン２７を前記支持柱１６ａが貫通しているが、この貫通している部分は水漏れがないようにシールされている。
【００２６】
また、支持体３を構成する本体部１５の下面には、左右両側にそれぞれ２個ずつ合計４個の前記移動部材７が取り付けられている。移動部材７は支持体３を床面で移動可能とするものであり、キャスター７によって構成されている。このキャスター７は車輪７ａが水平軸回りに回転可能であるともに、車輪７ａが鉛直軸まわりに回動可能である。したがって、これらキャスター７によって、支持体３は床面で前後左右に移動自在となっている。
【００２７】
上記構成の移動型冷暖房装置１は、熱放射パネル２を支持する支持体３をキャスター７によって所望の箇所まで移動させる。この箇所には、図１に示すように、例えば建物の外部に設けられた図示しない流体供給装置に接続された冷温水ホース３０が配備されている。冷温水ホース３０は、高温あるいは低温の流体を供給するための供給管と、熱放射パネル２を流通してきた流体を排出するための排出管の双方が一体的にまとめられて外筒内に挿入されてなるもので、可撓性を有するともに、断熱性を有している。
冷温水ホース３０の先端部にはコンセントプラグ３０ａが取り付けられており、このコンセントプラグ３０ａを移動型冷暖房装置１のコンセント部６に接続することによって、供給管が供給口４に接続されるとともに排出管が排出口５に接続される。
そして、この状態で流体供給装置を作動させることによって、上述したようにして、高温あるいは低温の流体が供給管から供給口４に供給されて熱放射パネル２の管部材１０を流通するとによって、当該熱放射パネル２が放熱する。管部材１０を流通した流体は排出口５から排出管に排出されて流体供給装置に戻され、この流体供給装置で再冷却または再加熱されて再び供給管から供給口４に供給される。これによって、熱放射パネル２が連続的に熱放射する。
【００２８】
本実施の形態によれば、並設された複数の管部材１０を備えた熱放射パネル２が支持体３の支持部１６によってほぼ鉛直に支持されており、この支持体３の本体部１５に移動部材（キャスター）７が取り付けられているので、移動部材７によって支持体３を所望の箇所まで容易に移動させることができ、移動先において供給口４および排出口５に、高温あるいは低温の流体を供給する供給管と排出する排出管とをそれぞれ接続することによって、熱放射パネル２の管部材１０中に高温あるいは低温の流体を連続的に流通させて熱放射させることができるので、所望の箇所を集中的かつ快適に冷暖房できる。
【００２９】
また、供給口４および排出口５が近接した状態で支持体３の本体部１５に設けられているので、高温あるいは低温の流体を供給する供給管と排出する排出管をまとめて供給口４と排出口５に容易に接続できる。
さらに、支持体３の本体部１５の下面に凹所２５が設けられ、この凹所２５に貯留箱２６が設けられているので、この貯留箱に管部材の表面に結露した水を貯留でき、よって当該結露水が床等に流出するのを防止できる。
【００３０】
（第２の実施の形態）
図３および図４は、本発明に係る移動型冷暖房装置の第２の実施の形態を示すもので、図３はその斜視図、図４は移動型冷暖房装置の下部の断面図である。
図３に示すように、本実施の形態の移動型冷暖房装置３１は、前記第１の実施の形態の移動型冷暖房装置１と同様に、熱放射パネル２と、支持体３と、供給口４および排出口５を備えたコンセント部６と、移動部材７とを備えている。
この移動型冷暖房装置３１が前記移動型冷暖房装置１と異なる点は、熱放射パネル２の上端部と下端部の構成であるので、以下ではこの点について詳しく説明し、前記移動型冷暖房装置１と共通部分には同一符号を付してその説明を省略ないし簡略化する。
【００３１】
図３に示すように、この移動型冷暖房装置３１は、前側に複数（例えば１８本）の管部材１０が左右に一定間隔で並設されてなる第１管部材群３２と、後側に複数（例えば１８本）の管部材１０が左右に一定間隔で並設されてなる第２管部材群３３とを有し、第１管部材群３２と第２管部材群３３とは対向して配置されている。
また、熱放射パネル２の厚さ方向に配置されている２本の管部材１０，１０どうしは上部ヘッダ３４によって接続されている。つまり、第１管部材群３２を構成する複数の管部材１０と、第２管部材群３３を構成する複数の管部材１０とは複数の上部ヘッダ３４によって接続されている。
上部ヘッダ３４は四角筒状のものであり、一端部が前側の管部材１０の上端部に、上部ヘッダ３４の内部と管部材１０の内部とを連通するようにして接続され、他端部が後側の管部材１０の上端部に、上部ヘッダ３４の内部と管部材１０の内部とを連通するようにして接続されている。例えば、管部材１０の上端部の側面に貫通孔を形成し、この貫通孔と上部ヘッダ３４の端部開口を合致させるとともに、貫通孔の周囲をシールすることによって管部材１０の内部と上部ヘッダ３４の内部とが連通している。
【００３２】
また、図４に示すように、前記本体部１５内の上部でかつ第１管部材群３２の下方には、第１下部ヘッダ３５がほぼ水平に設けられている。第１下部ヘッダ３５は管部材１０の並設方向（図４（ａ）において左右方向）に長尺なもので、四角筒状に形成され、その両端面は閉塞され、さらに当該両端面と本体部１５の長手方向において対向する内壁面との間には隙間が設けられている。
また、第１管部材群３２を構成する管部材１０の下端部は前記枠体１５ａから下方に突出しており、この突出している管部材１０の下端部が第１下部ヘッダ３５に、管部材１０の内部と第１下部ヘッダ３５の内部とが連通するようにして接続されている。例えば、第１下部ヘッダ３５の上面に貫通孔を第１下部ヘッダ３５の長手方向に一定間隔で複数形成し、各貫通孔と管部材１０の下端部開口を合致させるとともに、貫通孔の周囲をシールすることによって管部材１０の内部と第１下部ヘッダ３５の内部とが連通している。
【００３３】
また、前記本体部１５内の上部でかつ第２管部材群３３の下方には、第２下部ヘッダ３６がほぼ水平に設けられている。第２下部ヘッダ３６は第１下部ヘッダ３５と同形状でかつ管部材１０の並設方向（図４（ａ）において左右方向）に長尺なもので、四角筒状に形成され、その両端面は閉塞され、さらに当該両端面と本体部１５の長手方向において対向する内壁面との間には隙間が設けられている。
また、第２管部材群３３を構成する管部材１０の下端部は前記枠体１５ａから下方に突出しており、この突出している管部材１０の下端部が第２下部ヘッダ３６に、管部材１０の内部と第２下部ヘッダ３６の内部とが連通するようにして接続されている。例えば、第２下部ヘッダ３６の上面に貫通孔を第２下部ヘッダ３６の長手方向に一定間隔で複数形成し、各貫通孔と管部材１０の下端部開口を合致させるとともに、貫通孔の周囲をシールすることによって管部材１０の内部と第２下部ヘッダ３６の内部とが連通している。
【００３４】
前記第１下部ヘッダ３５および第２下部ヘッダ３６は前記支持プレート１６ｂに設置固定され、さらに、前記第１下部ヘッダ３５および第２下部ヘッダ３６の外側を向く側面は、図４（ｂ）に示すように、支持プレート１６ｂに形成された立上り壁１６ｃに当接固定されている。このように、複数の管部材１０は第１下部ヘッダ３５および第２下部ヘッダ３６を介してほぼ鉛直に支持されている。したがって、並設された複数の管部材１０を備えてなる熱放射パネル２は、支持プレート１６ｂと支持柱１６ａ，１６ａによって構成された支持部１６によってほぼ鉛直に支持されている。
また、本体部１５内には、前記第１下部ヘッダ３５の下側に供給配管３７が第１下部ヘッダ３５とほぼ平行に配置され、前記第２下部ヘッダ３６の下側に排出配管３８が第２下部ヘッダ３６とほぼ平行に配置されている。また、排出配管３８は供給配管３７の下側に配置されている。
供給配管３７の先端部は、上方に曲げられて支持プレート１６ｂを貫通したうえで、第１下部ヘッダ３５の長さ方向中央部に、供給配管３７の内部と第１下部ヘッダ３５の内部とが連通するように接続されている。
供給配管３７の基端部は本体部１５の前面側の壁部に向けて曲げられており、当該壁部に達している。そして、供給配管３７の基端部は前記供給口４に接続されている。
また、排出配管３８の先端部は、上方に曲げられて支持プレート１６ｂを貫通したうえで、第２下部ヘッダ３６の長さ方向中央部に、排出配管３８の内部と第２下部ヘッダ３６の内部とが連通するように接続されている。
排出配管３８の基端部は本体部１５の前面側の壁部に向けて曲げられており、当該壁部に達している。そして、排出配管３８の基端部は前記排出口５に接続されている。
【００３５】
そして、上記のような構成の熱放射パネル２では、供給口４から高温あるいは低温の流体を供給すると、この流体が第１下部ヘッダ３５を流通して、当該第１下部ヘッダ３５に接続されている第１管部材群３２の複数（１８本）の管部材１０を下方から上方に流通したうえで、上部ヘッダ３４に流入する。上部ヘッダ３４に流入した流体は、上部ヘッダ３４に接続されている第２管部材群３３の複数（１８本）の管部材１０を上方から下方に流通したうえで、第２下部ヘッダ３６に流入し、この第２下部ヘッダ３６を排出口５に向けて流通し、この排出口５から排出されるようになっている。そして、流体が管部材１０を流通することによって、各管部材１０が熱放射し、これによって、熱放射パネル２が熱放射するようになっている。
このように、熱放射パネル２では、流体が第１管部材群３２の管部材１０中を流れたうえで、第２管部材群３３の管部材１０中を流れるので、第１管部材群３２の方が第２管部材群３３より熱放射量が多くなる。
【００３６】
本実施の形態によれば、第１の実施の形態と同様の効果が得られる他、高温あるいは低温の流体が第１管部材群３２の管部材１０中を流れたうえで、第２管部材群３３の管部材１０中を流れるので、第２管部材群３３より、第１管部材群３２の方が高温あるいは低温の熱を放射する。したがって、第１管部材群３３の方を所望の箇所に向けることによって、当該箇所を効果的に暖房または冷房できる。また、第２管部材群３３の方は壁に向けることができる。
【００３７】
なお、熱放射パネル２に流体を流通させる場合、上記二つの実施の形態に限ることはない。例えば、複数の管部材１０中を一筆書きのようにして流体を流通させてもよい。また第１の実施の形態において、管部材群１１，１２のそれぞれの上下端部を上部ヘッダと下部ヘッダとで接続し、二つの下部ヘッダまたは上部ヘッダに供給口４から供給配管を介して流体を流入させて管部材１０中を上方または下方に向けて流通させ、この流通した流体を二つの上部ヘッダまたは下部ヘッダから排出配管を介して排出口から排出するようにしてもよい。
【符号の説明】
【００３８】
１，３１  移動型冷暖房装置
２  熱放射パネル
３  支持体
４  供給口
５  排出口
７  キャスター（移動部材）
２５  凹所
２６  貯留箱
３２  第１管部材群
３３  第２管部材群
【図１】
0005780878.tif 000002
【図２】
0005780878.tif 000003
【図３】
0005780878.tif 000004
【図４】
0005780878.tif 000005